(57)【要約】      （修正有）【課題】出版社やその他の組織の関与なしに翻訳者や作者の主導により、低コストで効率的な業務フローにより翻訳版を正規の電子出版物として海外展開するための電子翻訳出版支援システムを実現する。【解決手段】電子翻訳出版支援装置は、電子データに含まれる翻訳文の作成希望を翻訳者の端末から受信すると、翻訳文を当該翻訳者が作成する権利を記述した翻訳権利情報を設定し、当該端末からの翻訳文の編集操作を許可する翻訳管理部と、当該テキストが編集済みの翻訳文で置き換えられた上記電子データから電子出版物を生成し、翻訳権利情報と関連付けて出版する電子出版部と、出版済みの電子出版物の販売実績を表すデータを受信すると、当該販売実績に応じた収益配分を、少なくとも翻訳権利情報に基づいて行う収益分配部と、を備える。【選択図】図２
2019091362.tif 000002
【特許請求の範囲】
【請求項１】
電子データに含まれるテキストの翻訳を支援し、前記テキストの翻訳文を含む電子出版物の出版を支援する電子翻訳出版支援装置であって、
前記電子データに含まれる翻訳文の作成希望を翻訳者の端末から受信すると、前記翻訳文を前記翻訳者が作成する権利を記述した翻訳権利情報を設定し、前記端末からの前記翻訳文の編集操作を許可する翻訳管理部と、
前記テキストが編集済みの前記翻訳文で置き換えられた前記電子データから電子出版物を生成し、前記翻訳権利情報と関連付けて出版する電子出版部と、
出版済みの前記電子出版物の販売実績を表すデータを受信すると、前記販売実績に応じた収益配分を、少なくとも前記翻訳権利情報に基づいて行う収益分配部と、
を備える電子翻訳出版支援装置。
【請求項２】
前記収益分配部は、前記電子出版物の前記販売実績を表すデータを受信すると、
前記販売実績に応じた参加印税に相当する入金指示を、前記電子データの創作者の入金口座を管理する第１の決済システムに配信し、
前記翻訳権利情報にて記述される前記翻訳者を識別し、前記販売実績に応じた翻訳印税に相当する入金指示を、識別した前記翻訳者の入金口座を管理する第２の決済システムに配信する、
ように構成される、請求項１記載の電子翻訳出版支援装置。
【請求項３】
前記テキストを含む電子データを前記電子データの創作者の端末から受信すると、前記電子データを翻訳者に公開された翻訳依頼データベースに新規登録するデータ登録部と、
前記翻訳依頼データベースの更新通知を前記翻訳者の端末に出力する翻訳依頼更新通知部と、
をさらに備える請求項１または請求項２に記載の電子翻訳出版支援装置。
【請求項４】
前記電子出版部は、電子出版販売業者が運用する電子商取引システムを識別し、前記翻訳権利情報と関連付けて生成した前記電子出版物を、識別された前記電子商取引システムに商品登録することにより、前記電子出版物を出版するように構成され、
前記収益分配部は、識別された前記電子商取引システムから出版済みの前記電子出版物の前記販売実績を受信し、前記販売実績に応じた収益配分を行うように構成される、
請求項１から請求項３の何れか一項に記載の電子翻訳出版支援装置。
【請求項５】
前記電子出版部は、
前記電子出版物の購入者からの投票および前記電子出版物の前記販売実績の少なくとも一方に基づいて、前記電子出版物の前記翻訳文を作成した前記翻訳者を評価し、前記評価の結果を外部からアクセス可能な形で公開する、
ようにさらに構成される請求項１から請求項４の何れか一項に記載の電子翻訳出版支援装置。
【請求項６】
前記電子出版部は、
前記電子出版物の購入者からの投票および前記電子出版物の前記販売実績の少なくとも一方に基づいて、前記電子出版物の前記翻訳文を作成した前記翻訳者を評価し、
前記電子出版物の購入画面において、前記評価に応じた表示順序に従って各々の前記電子出版物を一覧表示する、
ようにさらに構成される請求項１から請求項４の何れか一項に記載の電子翻訳出版支援装置。
【請求項７】
前記電子出版部は、
前記電子出版物の購入者からの投票および前記電子出版物の前記販売実績の少なくとも一方に基づいて、前記電子出版物の前記翻訳文を作成した前記翻訳者を評価し、前記評価に基づいて翻訳権利情報の設定を制御する、
ようにさらに構成される請求項１から請求項４の何れか一項に記載の電子翻訳出版支援装置。
【請求項８】
前記電子出版部は、
前記電子出版物の購入者からの投票および前記電子出版物の前記販売実績の少なくとも一方に基づいて、前記電子出版物の前記翻訳文を作成した前記翻訳者を評価し、前記評価に基づいて前記翻訳者の端末への前記更新通知を制御する、
ようにさらに構成される請求項３に記載の電子翻訳出版支援装置。
【請求項９】
前記翻訳管理部は、
前記電子データを前記翻訳文の編集が可能なデータ形式に変換し、前記翻訳権利情報を受信した前記端末からの編集操作が前記翻訳権利情報によって電子署名されているか否かを検証し、
前記電子署名が正当であると検証された場合のみ、前記編集操作に基づく前記翻訳文の編集を許可する、
ようにさらに構成される請求項１から請求項８の何れか一項に記載の電子翻訳出版支援装置。
【発明の詳細な説明】
【技術分野】
【０００１】
本開示は、電子化された漫画などの電子データに含まれるテキストの翻訳を支援し、当該テキストの翻訳文を含む電子出版物の出版を支援する電子翻訳出版支援装置に関する。
【背景技術】
【０００２】
画像とテキストが混在した電子出版物の海外向けの販路拡大と流通促進を行う際、電子出版物に文字情報として含まれるテキストを販売先となる現地の言語に翻訳する作業が必須となる。以下、画像とテキストが混在した電子出版物の具体例として、電子化された漫画のデータをとり上げ、電子出版物の翻訳版を出版する際に従来行われてきた方法と当該方法における課題を説明する。
【０００３】
１つの出版物を製造していく過程で作家（もしくは記者や編集者）、出版社、印刷会社等の複数の者が協力して作業する場合と同様に、電子出版物を翻訳し、翻訳版を海外向けに電子出版し、流通させる場合にも複数の者（会社）が関与する必要がある。例えば、原作漫画を翻訳する翻訳者や原作漫画の作者の他に、原作漫画の自国内での出版を行う国内出版社、国内出版社からの依頼を受けて翻訳者に漫画の翻訳業務の発注を行う翻訳会社および海外向けの電子出版と流通を担う海外出版社などが関与する必要がある。
【０００４】
下記の特許文献１は、翻訳業務の外部委託を要求している組織（発注者）と翻訳業務提供者（翻訳者）を引き合わせ、翻訳業務委託契約の入札および落札を管理するネットワーク情報センターを開示している。また、下記の特許文献２は、例えば出版会社、印刷会社、製版会社、デザイナ等複数の者が協力する共同作業により、高いセキュリティを維持しながら高い生産効率で１つの印刷物を生産していく過程を支援する印刷物生産支援装置を開示している。また、下記の特許文献３は、研究者によるアイデアの着想から研究論文の出版後までの研究論文発行プロセスの進行を支援する著作物ワークフロー管理システムを開示している。
【先行技術文献】
【特許文献】
【０００５】
【特許文献１】特表２００４−５０７７９９号公報
【特許文献２】特開２００３−０３６１６２号公報
【特許文献３】特表２０１５−５２３６５８号公報
【発明の概要】
【発明が解決しようとする課題】
【０００６】
しかしながら、電子出版物を翻訳し、翻訳版を海外向けに電子出版し、流通させる場合に翻訳者や原作漫画の作者以外に多くの者（会社）が関与することで、翻訳者や作者への収益が低下し、翻訳者や作者の意欲が低下することが懸念される。また、電子出版物を出版する権利は出版社が保有していることが多く、翻訳者や作者の独断により非正規ルートを通じて、海外向けに翻訳版を出版して流通させることができない。また、翻訳者や作者が個人で出版の権利を持っていたとしても、海外での販売ルートを個人で確立するのは困難である。
【０００７】
また、別の問題として、国内出版社にとって、海外向けの出版のために海外出版社と交渉する際に要する諸々のコストが高かったり、諸外国の著作権などによる法的制約や商習慣の違いを熟知していなかったりして、国内出版社にとって翻訳版の海外展開は容易ではない。一方、外国での翻訳版の出版と流通に多くのコストを支払う海外出版社にとっても、売れる保証のある著名な漫画タイトルや諸外国で人気の高い漫画タイトル（いわゆる大作）でないと取り扱いが難しい。
【０００８】
さらに、従来の出版／流通ルートでは、海外の読者が未翻訳の漫画タイトルを読もうとすれば、個人がボランティアで翻訳した海賊版や原作の創作者が非正規のルートで翻訳依頼し、海外向けに流通させている海賊版を入手するしかない。その結果、従来の出版／流通ルートでは、国内外の出版社にとって海賊版対策に少なからぬ労力を割かれることとなる。
【０００９】
そして、特許文献１〜特許文献３記載の発明は、上述した課題を解決するための仕組みや工夫を開示も示唆もしていない。例えば、特許文献１記載の情報センターは、見積り依頼を収集し承認し、発注者の要件を満たす翻訳者に入札案内を送り、翻訳業務に入札した翻訳者が契約を落札すると、翻訳者に落札通知を送り、発注者から支払金を回収して翻訳者に支払う。
【００１０】
また、特許文献２記載の印刷物生産支援装置では、カスタマによりクライアントが定義され、印刷物生産のためのジョブやワークフローが定義される。そして、カスタマとクライアントとの間でセキュリティを保持しつつ情報が共有されることで、印刷物生産のためのジョブの完成に向けて上記共同作業が進められるワークフローを支援する。また、特許文献３記載の著作物ワークフロー管理システムでは、著作者の研究プロジェクトに対する財政支援を獲得するプロセスが簡素化され、著作者が作成した研究論文を順次出版させる指示を複数の出版者に発行する処理が自動化される。
【００１１】
以上より、特許文献１〜特許文献３では、翻訳者や原作漫画の創作者以外の多くの者（会社）の関与をなくし、翻訳者や創作者の主導による効率的な業務フローにより翻訳版を海外展開するための仕組みを開示も示唆もしていない。加えて、特許文献１〜特許文献３では、著名タイトルや人気作以外のマイナー作品を翻訳した翻訳版を低コストで簡易な業務フローを通じて（海賊版ではない）正規の電子出版物として海外展開するための仕組みを開示も示唆もしていない。
【００１２】
上記の問題点に鑑み、本発明に係る幾つかの実施形態は、出版社やその他の組織の関与なしに翻訳者や創作者の主導により、低コストで効率的な業務フローにより翻訳版を正規の電子出版物として海外展開可能な仕組みを得ることを目的とする。
【課題を解決するための手段】
【００１３】
上記課題を解決するため、本発明の幾つかの実施形態に従い、電子データに含まれるテキストの翻訳を支援し、当該テキストの翻訳文を含む電子出版物の出版を支援する電子翻訳出版支援装置は、当該電子データに含まれる翻訳文の作成希望を翻訳者の端末から受信すると、当該翻訳文を当該翻訳者が作成する権利を記述した翻訳権利情報を設定し、上記の端末からの当該翻訳文の編集操作を許可する翻訳管理部と、上記のテキストが編集済みの翻訳文で置き換えられた上記の電子データから電子出版物を生成し、上記の翻訳権利情報と関連付けて出版する電子出版部と、出版済みの当該電子出版物の販売実績を表すデータを受信すると、販売実績に応じた収益配分を、少なくとも上記の翻訳権利情報に基づいて行う収益分配部と、を備える。
【００１４】
以上のように、本発明の幾つかの実施形態に係る電子翻訳出版支援装置によれば、新たに登録された電子データ内のテキストの翻訳を請け負うために入札した翻訳者について翻訳権利情報が設定される。これにより、翻訳者との翻訳業務委託契約の成立が電子的手段を通じて自動的に擬制され、翻訳者が作成した翻訳文が組み込まれた電子出版物が自動的に生成されて流通可能な状態とされる。
【００１５】
その結果、この電子翻訳出版支援装置によれば、翻訳者や原作漫画の創作者以外の多くの者（会社）の関与をなくし、翻訳者や創作者の主導による効率的な業務フローにより翻訳版を海外展開するための支援システムを実現することができる。また、この電子翻訳出版支援装置によれば、出版社による関与が不要となることで、著名タイトルや人気作以外のマイナー作品の翻訳版を低コストで正規の電子出版物として海外展開するための支援システムを実現することができる。
【発明の効果】
【００１６】
以上より、本発明に係る幾つかの実施形態に係る電子翻訳出版支援装置によれば、出版社やその他の組織の関与なしに翻訳者や作者の主導により、低コストで効率的な業務フローにより翻訳版を正規の電子出版物として海外展開するための支援システムを実現することができる。
【図面の簡単な説明】
【００１７】
【図１】本発明の幾つかの実施形態に係る電子翻訳出版支援装置を含んで構成される電子翻訳出版支援システムを示す図である。
【図２】本発明の幾つかの実施形態に係る電子翻訳出版支援装置の構成を示す図である。
【図３】電子出版物の翻訳と出版のために、本発明の幾つかの実施形態に従って実行される処理の流れを示す図である。
【図４】翻訳された電子出版物の売り上げによる収益を配分するために、本発明の幾つかの実施形態に従って実行される処理の流れを示す図である。
【図５】本発明のさらに別の実施形態に従い、翻訳者の選定や翻訳者による翻訳文編集を制御する仕組みを説明する図である。
【図６】翻訳版の電子出版物の海外向けの出版と流通に関して、従来実施されていた業務フローを示す図である。
【図７】本発明の実施形態に従って実施される業務フローを示す図である。
【発明を実施するための形態】
【００１８】
近年、自国内で創作され、出版された漫画等のような電子出版物の海外向けの販路拡大と流通促進を、情報システムを活用して実現することが以前よりも一層幅広く試みられている。上記のような電子出版物は、画像に重畳して文字情報が混在した情報材である。そのため、海外向けの販路拡大や流通促進のためには、電子出版物に文字情報として含まれるテキストを販売先となる現地の言語に翻訳する必要がある。以下、本発明の実施形態の説明に先立って、漫画の翻訳を例にとって従来の翻訳作業のワークフローにおける問題点について図６を参照しながら述べる。
【００１９】
（従来の翻訳作業のワークフローにおける問題点）
電子出版物を翻訳し、翻訳版を海外向けに電子出版し、流通させる従来のワークフローでは、翻訳者や原作漫画の作者以外に多くの者（会社）が関与する。図６に示す従来のワークフローでは、翻訳者１０３や創作者１０１以外に、原作漫画の自国内での出版を行う国内出版社１００Ａおよび海外向けの電子出版と流通を担う海外出版社１００Ｂが関与している。これに加え、図６に示す従来のワークフローでは、海外出版社１００Ｂからの依頼を受けて翻訳者１０３に漫画の翻訳業務の発注を行う翻訳会社１０２が関与している。
【００２０】
また、翻訳版の漫画を海外出版社１００Ｂが電子化された電子出版物として消費者１０５に直接販売するルート以外に、海外出版社１００Ｂから電子出版販売業者１０４を経由して消費者１０５に電子化された漫画をオンライン販売するルートもある。また、従来のワークフローでは、翻訳版の漫画データの作成途中においても、漫画データ内で原文を翻訳文と置き換える際のレイアウト作業を行うためにレイアウト作業者１０６が関与する必要がある。その際、レイアウト作業者１０６は、原文の漫画の各ページにおけるレイアウト構成や吹き出しの配置、文字サイズや文字列の方向（縦書きや横書きなど）に応じて、翻訳文を適切にレイアウト配置し、翻訳文の文字サイズや文字列の方向を適切に決定する。
【００２１】
そのため、翻訳者１０３や創作者１０１への収益が低下し、翻訳者１０３や創作者１０１の意欲が低下することが懸念される。また、電子出版物を出版する権利は国内出版社１００Ａまたは海外出版社１００Ｂが保有していることが多く、翻訳者１０３や創作者１０１の独断により非正規ルートを通じて、海外向けに翻訳版を出版して流通させることができない。また、翻訳者１０３や創作者１０１が個人で出版の権利を持っていたとしても、海外向けの販売ルートを個人で確立するのは困難である。すなわち、翻訳者１０３や創作者１０１は、正規のルートで（海賊版ではない）正規の翻訳版漫画を海外向けに出版し流通させるには、格別の支援の仕組みが無ければ困難である。
【００２２】
また、別の問題として、国内出版社１００Ａにとって、海外向けの出版のために海外出版社１００Ｂと交渉する際に要する諸々のコストが高かったり、諸外国での著作権などによる法的制約や商習慣の違いを熟知していなかったりして、国内出版社１００Ａにとって翻訳版の海外展開は容易ではない。例えば、海外とのやり取りや交渉が可能な人材を雇用可能な資金的に余裕のある大手の国内出版社１００Ａでないと翻訳版の漫画の海外展開は難しい。また、そのような国内出版社１００Ａは、翻訳版の海外向けの出版や流通の際に、諸外国での著作権などによる法的制約や商習慣が自国とはどのように違うのか分からずに海外展開を躊躇する場合もある。
【００２３】
一方、外国での翻訳版の出版と流通に多くのコストを支払う海外出版社１００Ｂにとっても、売れる保証のある著名な漫画タイトルや諸外国で人気の高い漫画タイトル（いわゆる大作）でないと取り扱いが難しい。別の言い方をすれば、海外出版社１００Ｂは、創作者が著名ではない又は人気作ではない翻訳版漫画を取り扱うと、出版や流通のコストに見合うだけの売り上げを確保できないリスクがある。
【００２４】
さらに、従来の出版／流通ルートでは、海外の読者が未翻訳の漫画タイトルを読もうとすれば、個人がボランティアで翻訳した海賊版や原作の創作者１０１が非正規のルートで翻訳依頼し、海外向けに流通させている海賊版を入手するしかなかった。つまり、従来の出版／流通ルートでは、海外の読者が著名なタイトルや人気作以外の漫画の翻訳版を入手しようとする場合、上記のように海賊版として翻訳されたものを入手する以外に方法がなかった。その結果、国内外の出版社１００Ａおよび１００Ｂにとって海賊版対策に少なからぬ労力を割かれることとなる。
【００２５】
次に、従来の翻訳作業における上述した問題点を解決するために利用可能な翻訳支援の仕組みとして、以下、本開示の実施形態について図面を参照して説明する。なお、以下に説明する実施形態は、特許請求の範囲に記載された本開示の内容を不当に限定するものではない。また、実施形態に示される構成要素のすべてが、本開示の必須の構成要素であるとは限らない。
【００２６】
（第１実施形態）
図１は、第１実施形態に係る電子翻訳出版支援装置１０を含んで構成される電子翻訳出版支援システム１を例示する通信ネットワーク構成図である。電子翻訳出版支援装置１０は、コンピュータや情報処理装置などで構成されてもよい。図２は、第１実施形態に係る電子翻訳出版支援装置１０の例示的な構成を示す構成図である。図１に示すように、電子翻訳出版支援システム１は、電子翻訳出版支援装置１０に接続された通信網６ａおよび６ｂを含んで構成され、通信網６ａおよび６ｂは別々の通信網であっても同一の通信網であってもよい。また、通信網６ａおよび６ｂは、単一の物理ネットワークがＶＰＮ技術およびトンネリング技術を用いて別々の仮想ネットワークとして構成されたものであってもよい。
【００２７】
通信網６ａには、電子翻訳出版支援装置１０と通信可能な情報端末として、複数の端末２（２ａ，２ｂ）と複数の端末３（３ａ〜３ｃ）が接続されていてもよい。端末２は、国外への販路拡大のために自身が創作した漫画の外国語への翻訳を依頼しようとする創作者が利用する情報端末であってもよい。代替的に、端末２は、原作漫画の創作者に代わって漫画の翻訳を依頼しようとする出版社の情報端末であってもよい。
【００２８】
創作者または出版社は、端末２を操作することで、翻訳と海外向けの出版を依頼しようとする電子化された漫画のデータを端末２から電子翻訳出版支援装置１０に送信してもよい。端末３は、電子翻訳出版支援装置１０が保持する漫画データを翻訳者が通信網６ａを介してリモートに編集操作するために使用される翻訳者用端末として構成されても良い。
【００２９】
また、通信網６ａには、原作漫画の創作者の入金口座を管理する決済システムＡ（８ａ）と漫画データを翻訳した翻訳者の入金口座を管理する決済システムＢ（８ｂ）が接続されている。以下において後述するように、決済システムＡ（８ａ）と決済システムＢ（８ｂ）は、翻訳版の漫画が電子的に出品され、売り上げが発生すると、販売収益を原作漫画の創作者と翻訳を行った翻訳者に還元するための入金手続きを電子的に行うシステムである。
【００３０】
また、通信網６ｂには、電子翻訳出版支援装置１０を用いて外国語に翻訳された漫画データをオンラインで購入するために海外の消費者が利用する複数の端末５（５ａ〜５ｃ）（以降、「消費者の端末」という。）が接続されている。また、通信網６ｂには、電子翻訳出版支援装置１０から送信された翻訳後の漫画データをオンライン販売のために受け付ける電子商取引システム４が接続されている。電子商取引システム４は、電子翻訳出版支援装置１０から受け付けた翻訳後の漫画データを商品として購入した海外の消費者が翻訳後の漫画データを消費者が操作する端末５へとダウンロードすることができるように構成されている。
【００３１】
電子翻訳出版支援装置１０は、画像とテキストが混在した漫画データにおいて原文テキストを翻訳者が翻訳する作業を支援することに加え、原文テキストの翻訳文を含む漫画データの海外向けの出版と流通を支援するための情報処理装置として構成される。図２に示すように、電子翻訳出版支援装置１０は、データ登録部１１と、翻訳管理部１２と、電子出版部１３と、収益分配部１４と、翻訳依頼更新通知部１５と、内部バス１６ａと、入出力制御部１６ｂと、を含んで構成される。なお、電子翻訳出版支援装置１０は、メモリとプロセッサを備えるコンピュータに当該メモリから専用のプログラムを読み込ませ、当該プログラムを当該プロセッサに実行させることで構成されてもよい。その場合、データ登録部１１、翻訳管理部１２、電子出版部１３、収益分配部１４および翻訳依頼更新通知部１５は、当該プロセッサがこれらの機能部（図２に示す１１〜１５）にそれぞれ対応するプログラムを実行することによりそれぞれ生成されるプロセスやスレッドとして実現されてもよい。
【００３２】
さらに、電子翻訳出版支援装置１０は、図１に示す電子商取引システム４と同等の機能を有する電子商取引モジュールを構成要素として内蔵していてもよい。さらに、電子翻訳出版支援装置１０は、翻訳依頼データベース１７ａ、権利情報データベース１７ｂ、出版物データベース１７ｃおよび評価情報データベース１７ｄと、を含んで構成される。なお、以下の記述では、翻訳依頼データベース１７ａ、権利情報データベース１７ｂ、出版物データベース１７ｃおよび評価情報データベース１７ｄを総称してデータベース１７と略記する場合がある。
【００３３】
データ登録部１１、翻訳管理部１２、電子出版部１３、収益分配部１４および翻訳依頼更新通知部１５は、入出力制御部１６ｂの制御に従い、外部の端末２、端末３および電子商取引システム４などとデータや情報をやり取りする。また、データ登録部１１、翻訳管理部１２、電子出版部１３、収益分配部１４、翻訳依頼更新通知部１５およびデータベース１７（１７ａ〜１７ｄ）は、内部バス１６ａを介して相互にデータや情報をやり取りする。
【００３４】
データ登録部１１は、原文のテキストを含む電子データ（原作漫画を電子化したデータ）を創作者の端末２（２ａ，２ｂ）から受信すると、当該電子データを翻訳者に公開された翻訳依頼データベース１７ａに新規登録する。そして、データ登録部１１により新たな電子データが翻訳依頼データベース１７ａに登録されるたびに、翻訳依頼更新通知部１５は、翻訳依頼データベース１７ａの更新通知を当該翻訳者の端末３（３ａ〜３ｃ）に出力する。
【００３５】
翻訳管理部１２は、電子データに含まれる翻訳文の作成希望を表明する入札メッセージを翻訳者の端末３（３ａ〜３ｃ）から受信する。続いて、漫画データの翻訳業務への入札メッセージを受信した翻訳管理部１２は、その漫画データの翻訳文を当該翻訳者が作成する権利を記述した翻訳権利情報を設定する。例えば、翻訳管理部１２は、上記漫画データの翻訳業務への入札メッセージを送信した翻訳者の個人情報（翻訳者の入金口座の情報を含む）を取得し、翻訳者に関するこれらの情報を翻訳権利情報と関連付けて権利情報データベース１７ｂに登録してもよい。最後に、翻訳管理部１２は、当該翻訳者の端末３（３ａ〜３ｃ）からの当該翻訳文の編集操作を許可する。その後、翻訳者は、翻訳管理部１２によって翻訳文の編集を許可された漫画データである電子データの編集を行う。漫画に含まれる全ての原文テキストについて編集作業が完了すると、翻訳者が作成した翻訳文は、端末３から電子翻訳出版支援装置１０に送信され、電子出版部１３によって受け取られる。
【００３６】
翻訳者が作成した翻訳文を受け取った電子出版部１３は、原文のテキストが編集済みの翻訳文で置き換えられた漫画データである翻訳版の電子データから電子出版物を生成し、出版物データベース１７ｃに一旦格納する。続いて、電子出版部１３は、出版物データベース１７ｃから読み出した翻訳版の電子出版物を、上記翻訳者の翻訳権利情報と関連付けて出版する。
【００３７】
一実施形態では、電子出版部１３は、当該電子出版物を出版するために、上記翻訳者の翻訳権利情報と関連付けて生成した電子出版物を、電子商取引システム４に商品登録するようにしてもよい。電子商取引システム４は、電子出版販売業者（図6の１０４を参照）が運用する電子商取引用のシステムとして電子出版部１３により識別されたものであってもよい。
【００３８】
代替的な実施形態では、電子出版部１３は、電子商取引システム４の代わりに、電子翻訳出版支援装置１０内部に設けられた電子商取引モジュール１８に翻訳版の漫画データを商品登録することで、翻訳版を出版するようにしてもよい。以上のように、この実施形態では、海外の消費者は、電子出版販売業者（図１の１０４を参照）が運用する電子商取引システム４を介さずに、電子翻訳出版支援装置１０内部に設けられた電子商取引モジュール１８に直接アクセスして翻訳版を購入する。従って、この実施形態では、電子出版販売業者（図6の１０４を参照）が翻訳版の漫画の販売ルートに介在する必要がなくなる。
【００３９】
電子商取引システム４に商品登録するなどして電子的に出版された翻訳版の漫画データは、海外の消費者によって購入され、図１に示す消費者の端末５（５ａ〜５ｃ）にダウンロードされてもよい。このようにして、翻訳版の漫画データが電子商取引システム４または電子商取引モジュール１８を介してオンライン購入されると、図2に示す通り、電子商取引システム４または電子商取引モジュール１８によって漫画タイトル毎の翻訳版の販売実績が逐次集計されてゆく。
【００４０】
電子商取引システム４または電子商取引モジュール１８から出力された漫画タイトル毎の翻訳版の販売実績データは、電子翻訳出版支援装置１０内部の収益分配部１４によって受け取られる。収益分配部１４は、出版済みの電子出版物である翻訳版漫画の販売実績を表すデータを受信すると、当該販売実績に応じた収益配分を、少なくとも上記の翻訳権利情報に基づいて行う。一実施形態では、収益分配部１４は、識別された電子商取引システム４または電子商取引モジュール１８から出版済みの電子出版物（翻訳版の漫画）の販売実績を受信し、販売実績に応じた収益配分を行うように構成される。
【００４１】
例示的な一実施形態では、収益分配部１４は、翻訳版の電子出版物の販売実績を表すデータを受信すると、当該販売実績に応じた参加印税に相当する入金指示を、前記電子データの創作者の入金口座を管理する決済システムＡ（８ａ）に配信するように構成されてもよい。続いて、この実施形態では、収益分配部１４は、上記翻訳権利情報にて記述される翻訳者を識別し、販売実績に応じた翻訳印税に相当する入金指示を、識別した翻訳者の入金口座を管理する決済システムＢ（８ｂ）に配信するように構成されてもよい。
【００４２】
次に、本発明の幾つかの実施形態に従い、電子出版物の翻訳と出版のために電子翻訳出版支援システム１にて実行される処理の流れについて、図３を参照しながら説明する。創作者または出版社は、端末２を操作することで、翻訳と海外向けの出版を依頼しようとする電子化された漫画のデータを端末２から電子翻訳出版支援装置１０に送信する。電子翻訳出版支援装置１０内において、端末２から原文の漫画データを受信した入出力制御部１６ｂは、原文漫画データを出版物データベース１７ｃに一旦格納する（図３に示すｍ１を参照）。
【００４３】
データ登録部１１は、原文のテキストを含む電子データ（原作漫画を電子化したデータ）を出版物データベース１７ｃから読み出すことで、創作者の端末２（２ａ，２ｂ）からの電子データを受け取る（図３に示すｍ２を参照）。続いて、データ登録部１１は、ステップＳ１１を実行し、当該電子データを翻訳者に公開された翻訳依頼データベース１７ａに新規登録する（図３に示すｍ３を参照）。そして、データ登録部１１により新たな電子データが翻訳依頼データベース１７ａに登録されるたびに、翻訳依頼更新通知部１５は、ステップＳ１２を実行し、翻訳依頼データベース１７ａの更新通知を当該翻訳者の端末３（３ａ〜３ｃ）に出力する（図３に示すｍ４とｍ５を参照）。
【００４４】
翻訳依頼データベース１７ａの更新通知ｍ５を受け取った端末３は、翻訳者による端末操作に応じて、当該翻訳者が翻訳文作成を希望する旨を表す入札メッセージ（図３に示すｍ６を参照）を翻訳管理部１２に送信する（図３に示すステップＳ１５）。翻訳者の端末３から入札メッセージを受け取った翻訳管理部１２は、当該翻訳者からの翻訳業務への入札を受諾可能ならば、ステップＳ１３にて、その漫画データの翻訳文を当該翻訳者が作成する権利を記述した翻訳権利情報を設定する。続いて、翻訳管理部１２は、ステップＳ１４の実行に進み、当該翻訳者の端末３からの当該翻訳文の編集操作を許可する。
【００４５】
その後、処理はステップＳ１６に進み、翻訳管理部１２は、電子データ（原文を含む漫画データ）を翻訳文の編集が可能なデータ形式に変換して記憶すると共に、対応する翻訳権利情報を翻訳者の端末３に送信する。その後、端末３に対する翻訳者の操作に従い、翻訳管理部１２によって翻訳文の編集を許可された漫画データである電子データの編集が翻訳者の端末３の上で実行される。
【００４６】
翻訳管理部１２が端末３から翻訳者が行った翻訳文の編集操作を受信するたびに、翻訳管理部１２は、翻訳権利情報を受信した端末３からの編集操作が当該翻訳権利情報によって電子署名されているか否かを検証する。そして、その電子署名が正当であると検証された場合のみ、端末３上での編集操作に基づく翻訳文の編集を許可する。以上のようにして、漫画に含まれる全ての原文テキストについて編集作業が完了すると、翻訳者が作成した翻訳文は、端末３から電子翻訳出版支援装置１０に送信され、電子出版部１３によって受け取られる（図３に示すｍ８を参照）。
【００４７】
翻訳者が作成した翻訳文ｍ８を受け取った電子出版部１３は、ステップＳ１７にて、原文のテキストが編集済みの翻訳文ｍ８で置き換える。続いて、電子出版部１３は、ステップＳ１８にて、原文のテキストが翻訳文ｍ８で置き換えられた漫画データである翻訳版の電子データから電子出版物を生成し、出版物データベース１７ｃに一旦格納する（図３に示すｍ１０）。続いて、電子出版部１３は、ステップＳ１９を実行し、出版物データベース１７ｃから読み出した翻訳版の電子出版物を、上記翻訳者の翻訳権利情報（図３に示すｍ９）と関連付けて出版する。
【００４８】
次に、電子出版部１３により出版された漫画（翻訳済みの電子出版物）を電子商取引システム４に出品してから、電子出版物の売り上げによる収益を関係者間で配分するまでの処理の流れを図４に示すフロー図に沿って説明する。まず、図３に示す処理の流れを継続する形で、電子出版部１３がステップＳ１９を実行し、電子出版物（翻訳後の漫画データ）を出版すると、当該電子出版物は電子商取引システム４にアップロードされる（図４に示すｍ１１を参照）。これにより、アップロードされた電子出版物（翻訳後の漫画データ）は、電子商取引システム４において商品として出品される（図４に示すステップＳ２０を参照）。
【００４９】
これと並行して、消費者の端末５を利用する消費者は、使用して電子商取引システム４が表示する電子出版物の販売ページを、消費者の端末５上で動作するWebブラウザ等を用いてブラウズする（図４に示すステップＳ２１を参照）。販売ページ中に購入したい漫画タイトルを発見した消費者は、端末５から所望する電子出版物（翻訳版漫画データ）の購入リクエスト（図４に示すｍ１２）を電子商取引システム４に送信する（図４に示すステップＳ２２）。続いて、ステップＳ２３が実行され、電子商取引システム４から消費者の端末５に向けて電子出版物のダウンロードが開始される（図４に示すｍ１３）。
【００５０】
このようにして、翻訳版の漫画データが電子商取引システム４を介してオンライン購入されると、ステップＳ２４が実行され、電子商取引システム４によって漫画タイトル毎の翻訳版の販売実績が逐次集計されてゆく。電子商取引システム４から出力された漫画タイトル毎の翻訳版の販売実績データは、電子翻訳出版支援装置１０内部の収益分配部１４によって受け取られる（図４に示すｍ１４）。
【００５１】
収益分配部１４は、電子出版物（翻訳版漫画データ）の販売実績を表すデータｍ１４を受信すると、当該販売実績に応じた収益配分を、少なくとも上記の翻訳権利情報に基づいて行う。具体的には、収益分配部１４は、翻訳版の電子出版物の販売実績を表すデータｍ１４を受信すると、ステップＳ２５を実行し、当該販売実績に応じた参加印税の額を算出する。続いて、収益分配部１４は、ステップＳ２６の実行に進み、参加印税に相当する入金指示を、漫画の創作者の入金口座を管理する決済システムＡ（８ａ）に配信する（図４に示すｍ１５）。
【００５２】
続いて、収益分配部１４は、ステップＳ２７の実行に進み、上記翻訳権利情報にて記述される翻訳者を識別し、販売実績に応じた翻訳印税の額を算出する。続いて、収益分配部１４は、ステップＳ２８の実行に進み、翻訳印税に相当する入金指示を、識別した翻訳者の入金口座を管理する決済システムＢ（８ｂ）に配信する（図４に示すｍ１６）。
【００５３】
収益分配部１４から入金指示ｍ１５を受け取った決済システムＡ（８ａ）は、ステップＳ２９にて、参加印税に相当する金額を漫画の創作者の口座に入金する。同様に、収益分配部１４から入金指示ｍ１６を受け取った決済システムＢ（８ｂ）は、ステップＳ３０にて、翻訳印税に相当する金額を漫画の創作者の口座に入金する。以上により、電子翻訳出版支援装置１０にて電子的に出版された漫画（翻訳済みの電子出版物）を電子商取引システム４に出品してから、電子出版物の売り上げによる収益を関係者間で適切に配分することが可能となる。
【００５４】
なお、これまで説明してきたとおり、翻訳依頼データベース１７ａに登録された漫画データの翻訳を翻訳者が行うと、決済システムＡ（８ａ）と関連付けられた翻訳者の入金口座に入金がされる必要がある。そのため、上述した実施形態では、翻訳管理部１２は、上記漫画データの翻訳に入札した翻訳者の入金口座の情報を取得し、翻訳者に関するこれらの情報を翻訳権利情報と関連付けて権利情報データベース１７ｂに登録することが必要となる。
【００５５】
そこで、翻訳者の入金口座の情報や個人情報を収益配分の前に取得しておくための一般に周知な仕組みの一例として、翻訳者の入金口座の情報も含めた個人情報を登録データとして用いて電子翻訳出版支援システム１内に翻訳者のアカウントを作成することが考えられる。こうすれば、当該アカウントに翻訳者がログインすることで個々の翻訳者の入金口座や個人情報を電子翻訳出版支援システム１内で識別可能となる。その場合、一般消費者を対象とするオンライン販売を目的として商用Ｂ２Ｃシステムを設計する際に多用されるシステム設計思想に従うならば、翻訳管理部１２は以下のように構成される場合が一般的であろう。
【００５６】
まず、翻訳者個人のアカウントが登録済みの状態で、当該アカウントにログインした翻訳者が、漫画データの翻訳業務への入札メッセージを送信する。続いて、入札メッセージを受信した翻訳管理部１２は、その漫画データの翻訳文を当該翻訳者が作成する権利を記述した翻訳権利情報を生成し、翻訳者個人の入金口座の情報と関連付けて権利情報データベース１７ｂ内に設定する。最後に、翻訳管理部１２は、当該翻訳者の端末３（３ａ〜３ｃ）からの当該翻訳文の編集操作を許可する。その後、翻訳者は、翻訳管理部１２によって翻訳文の編集を許可された漫画データである電子データの編集を行う。
【００５７】
しかしながら、図３および図４の処理フローを参照すると、翻訳者個人の入金口座の情報が必要になるのは翻訳者が翻訳した翻訳版の漫画データの売り上げ実績に応じて収益分配部１４により翻訳者に収益を配分する段階以降（図４のステップＳ２４以降）である。加えて、翻訳者個人の入金口座を特定する必要がある場合を除き、翻訳者が入札メッセージの送信に用いた端末３の端末識別情報などを用いれば、個々の翻訳者を電子翻訳出版支援システム１内で一意的に区別することは可能である。従って、新たに通知された漫画データの翻訳業務に翻訳者が入札メッセージを送信する時点では翻訳者の入金口座の情報や個人情報が無くとも、翻訳管理部１２は、その漫画データの翻訳文を当該翻訳者が作成する権利を記述した翻訳権利情報を設定可能である。
【００５８】
そこで、本発明に係る代替的な実施形態では、新たに通知された漫画データの翻訳業務について翻訳者が入札メッセージを送信し、当該入札メッセージを受信した翻訳管理部１２が翻訳権利情報を設定する時点では、翻訳者個人のアカウントは未登録であってもよい。また、電子翻訳出版支援システム１内では、翻訳者個人のアカウントが登録されるまでは、個々の翻訳者が利用する端末３の端末識別情報を用いて個々の翻訳者が識別され、アカウント登録後には、登録済みアカウントにより個々の翻訳者が識別される。ただし、翻訳版の漫画データの売り上げ実績に応じて収益分配部１４により翻訳者に収益を配分する段階（図４のステップＳ２４）に至っても翻訳者個人のアカウントが未登録である場合には、以降の処理に進むことができない。
【００５９】
そこで、この実施形態では、翻訳管理部１２は、収益分配部１４に収益配分処理の実行を一時的に中断するよう指示する。続いて、翻訳管理部１２は、その翻訳者が利用中の端末３にアカウント登録を促すメッセージを表示させ、アカウント登録に必要な情報として、翻訳者個人の入金口座の情報を端末３から翻訳管理部１２に送信させる。続いて、翻訳管理部１２は、アカウント登録に必要な情報として、翻訳者個人の入金口座の情報を含む翻訳者の個人情報を端末３から受信すると、翻訳者のアカウントを電子翻訳出版支援システム１内に登録する。最後に、翻訳管理部１２は、収益分配部１４に一時中断していた収益配分処理の実行再開を指示する。以上のようにして、この実施形態によれば、電子翻訳出版支援システム１内でアカウントを未登録の翻訳者であっても、新たに通知された翻訳業務への入札を可能とする電子翻訳出版支援装置１０を実現している。
【００６０】
次に、翻訳版の漫画データを電子的に出版して海外向けに流通させるための図６に示す従来のワークフローが本発明に関して上述した実施形態によってどのように改善されたのかを図７を参照しながら説明する。図７を参照すると、漫画を翻訳し、電子的に出版して海外向けに流通させるための従来のワークフロー（図６）では、出版社１００や電子出版販売業者１０４などが関与していた。これに対し、本発明の実施形態に係るワークフロー（図７）では、創作者が自身の端末２から出版社の電子出版システム７を経由して原作漫画データの登録をするだけでなく、創作者が自身の端末２から電子翻訳出版支援装置１０に原作漫画データを直接登録することができる。さらに、電子翻訳出版支援装置１０上に登録された状態の原作漫画データを翻訳者が端末３からの通信網を介した遠隔編集操作により翻訳し、電子的に出版して海外向けに流通させることが可能となる。その結果、漫画を翻訳し、電子的に出版して海外向けに流通させるための従来のワークフローにおいて、出版社１００や電子出版販売業者１０４などが関与する必要がなくなる。
【００６１】
以上のように、本発明の実施形態に係る電子翻訳出版支援装置１０によれば、新たに登録された電子データ内のテキストの翻訳を請け負うために入札した翻訳者について翻訳権利情報が設定される。これにより、翻訳者との翻訳業務委託契約の成立が電子的手段を通じて自動的に擬制され、翻訳者が作成した翻訳文が組み込まれた電子出版物が自動的に生成されて流通可能な状態とされる。
【００６２】
その結果、この電子翻訳出版支援装置１０によれば、翻訳者や原作漫画の作者以外の多くの者（会社）の関与をなくし、翻訳者や作者の主導による効率的な業務フローにより翻訳版を海外展開するための支援システムを実現することができる。また、この電子翻訳出版支援装置１０によれば、出版社による関与が不要となることで、著名タイトルや人気作以外のマイナー作品を翻訳した翻訳版を低コストで正規の電子出版物として海外展開するための支援システムを実現することができる。
【００６３】
また、翻訳者ごとに個別に翻訳版の漫画を出版し、翻訳者の氏名も表示して正規の販売ルートで流通させることができるので、創作者のみならず、翻訳者も海外の読者によって認知されることとなる。また、電子翻訳出版支援装置１０を漫画翻訳用の翻訳プラットフォームとして世界中の様々な国から様々な言語を得意とする多くの翻訳者の漫画翻訳への参加をインターネット経由で募ることも可能である。このようにすれば、電子翻訳出版支援装置１０を翻訳プラットフォームとして漫画を翻訳する場合、世界中の多種多様な言語間でのマルチリンガルな翻訳を支援するシステムを構築することができる。
【００６４】
（第２実施形態）
次に、図５に示す本発明の第２の実施形態に従い、図２に示す電子翻訳出版支援装置１０を含んで構成される電子翻訳出版支援システム１’の構成と動作について説明する。図１に示す電子翻訳出版支援システム１とは異なり、電子翻訳出版支援システム１’では、通信網６ａおよび６ｂは、通信網６ｃによって置き換えられている。そして、通信網６ｃの内部には、クラウドソーシングまたはクラウドファンディングのための情報プラットフォームとして動作可能な情報システム基盤９が設けられている。
【００６５】
図５に示す電子翻訳出版支援システム１’では、電子翻訳出版支援装置１０により電子的に出版された翻訳版の漫画を購入した消費者が翻訳版における翻訳の品質を評価した結果から、気に入った翻訳者に投票する仕組みを以下のように実現することができる。まず、電子商取引システム４などから翻訳版の漫画を購入した消費者が、各々の翻訳版の翻訳を行った翻訳者に対して評価点を表すデータを消費者の端末５ａ〜５ｃから情報システム基盤９に送信する。続いて、情報システム基盤９がこの評価点を翻訳者毎に集計し、評価点の集計結果を電子翻訳出版支援装置１０内の翻訳管理部１２と電子出版部１３に送信する。
【００６６】
また、翻訳版の漫画データが電子商取引システム４を介してオンライン購入されると、電子商取引システム４によって漫画タイトル毎の翻訳版の販売実績が逐次集計されてゆく。電子商取引システム４から出力された漫画タイトル毎の翻訳版の販売実績データは、電子翻訳出版支援装置１０内部の翻訳管理部１２および電子出版部１３によって受け取られる。
【００６７】
以上のようにして、電子出版部１３および翻訳管理部１２は、消費者からの翻訳者に対する投票に含まれる評価点を集計した結果を情報システム基盤９から受信し（図５に示すＥ１を参照）する。また、電子出版部１３および翻訳管理部１２は、漫画タイトル毎の翻訳版の販売実績データを電子商取引システム４から受信する（図５に示すＥ２を参照）。また、情報システム基盤９から受信した評価点集計結果と電子商取引システム４から受信した販売実績データは、評価情報データベース１７ｄに格納される（図５に示すＬ４を参照）。
【００６８】
続いて、電子出版部１３は、電子出版物の購入者からの投票および電子出版物の販売実績の少なくとも一方に基づいて、当該電子出版物の翻訳文を作成した翻訳者を評価し、この評価の結果を外部からアクセス可能な形で公開するように構成されてもよい。また、電子出版部１３は、電子出版物の購入者からの投票および電子出版物の販売実績の少なくとも一方に基づいて、当該電子出版物の翻訳文を作成した翻訳者を評価した後に、以下の動作を実行してもよい。すなわち、電子出版部１３は、電子出版物の購入画面において、当該評価に応じた表示順序に従って各々の電子出版物を一覧表示するように電子商取引システム４に指示してもよい。
【００６９】
また、電子出版部１３は、電子出版物の購入者からの投票および電子出版物の販売実績の少なくとも一方に基づいて、当該電子出版物の翻訳文を作成した翻訳者を評価した後に、以下の動作を実行してもよい。一実施形態では、電子出版部１３は、上記評価に基づいて翻訳権利情報の設定を制御するようにしてもよい。代替的な実施形態では、電子出版部１３は、上記の評価に基づいて翻訳依頼更新通知部１５から翻訳者の端末３への翻訳依頼の更新通知を制御する（図５に示すＬ５を参照）ようにしてもよい。
【００７０】
例えば、情報システム基盤９から受信した評価点の集計結果から、電子出版物の購入者による評価が低い翻訳者には、電子出版部１３は、翻訳難易度や消費者からの人気が低い漫画の翻訳についてしか翻訳依頼の更新通知を行わないように翻訳依頼更新通知部１５に指示する（図５に示すＬ５を参照）ようにしてもよい。また、翻訳管理部１２は、そのような漫画の翻訳についてしか翻訳権利情報の設定を行わないようにすることができる。
【００７１】
その結果、翻訳者の評価に応じて、翻訳依頼更新通知部１５から翻訳業務に入札する翻訳者の端末３’への翻訳依頼更新通知の送信（図５に示すＬ２を参照）が制御される。また、翻訳者の評価に応じて、翻訳者の端末３’から受信した翻訳業務への入札（図５に示すＬ１を参照）に対して翻訳権利情報の設定を行うか否か（図５に示すＬ３を参照）が制御されることとなる。
【００７２】
以上から、情報システム基盤９が動作する通信網６ｃは、漫画の翻訳の評価に基づいて、翻訳者が希望する翻訳業務への入札機会を与えるのと同時に、翻訳版の漫画を購入する消費者が好ましい翻訳者を選別淘汰することを可能にする。この点で情報システム基盤９が動作する通信網６ｃは、電子出版物の翻訳業務に係るクラウドソーシング・システムと同様の働きをすることが可能である。
【００７３】
また、代替的な実施形態では、情報システム基盤９が動作する通信網６ｃは、人気の高い翻訳者に多くの消費者から金銭的な支援を募るクラウドファンディング・プラットフォームとして機能することが可能である。具体的には、情報システム基盤９が動作する通信網６ｃは、消費者の端末５ａ〜５ｃを利用する多くの消費者にとって人気の高い翻訳者を対象として、消費者の端末５ａ〜５ｃを利用する消費者がそのような翻訳者に金銭的な支援を行うことを支援するようにしてもよい。
【００７４】
例えば、翻訳管理部１２が、消費者からのファンディング対象となる翻訳者を指名する情報を情報システム基盤９から受信（図５に示すＥ１を参照）すると、ファンディング対象となる漫画作品の翻訳業務への入札招待を当該指名された翻訳者の端末３に送信する。同時に、翻訳管理部１２は、ファンディング対象となる漫画作品の翻訳業務について、当該指名された翻訳者以外には、翻訳権利情報を設定しないようにする。当該指名された翻訳者に対して消費者から募った金額は消費者の端末５ａ〜５ｃから情報システム基盤９へと集計され、当該指名された翻訳者の口座に入金されるように、情報システム基盤９から決済システムＢ（８ｂ）に入金指示が送信される。
【００７５】
また、代替的な実施形態では、情報システム基盤９が動作する通信網６ｃは、翻訳者が消費者から翻訳に有用な口コミ情報を得るためのソーシャル・メディアとして機能することが可能である。また、翻訳者同士の間でも翻訳に有用な口コミ情報を得るために、情報システム基盤９が動作する通信網６ｃをソーシャル・メディアとして活用可能である。その際、情報システム基盤９は、通信網６ｃにアクセスする端末にソーシャル・メディアと同様のメッセージ交換、コンテンツ共有、情報共有などの機能を提供するハブとして動作する。
【００７６】
一実施形態では、翻訳者の端末３ａ〜３ｃにより通信網６ｃにアクセスする翻訳者同士の間で、または、消費者の端末５ａ〜５ｃにより通信網６ｃにアクセスする消費者から以下のような口コミ情報を得ることができる。例えば、ある漫画作品シリーズに登場する特定の人物や擬人化されたキャラクターの口癖や特徴的な決め台詞などに関する口コミ情報を得ることができる。また、そのような口癖や決め台詞などの上手い翻訳例を共有したり、そのような口癖や決め台詞などの直訳が難しい場合に、外国語での上手い意訳例を翻訳者間で共有したりすることも可能となる。
【符号の説明】
【００７７】
１，１’  電子翻訳出版支援システム
２（２ａ，２ｂ）  原作漫画の創作者の端末
３（３ａ〜３ｃ）  翻訳者の端末
４  電子商取引システム
５（５ａ〜５ｃ）  消費者の端末
６ａ，６ｂ，６ｃ  通信網
８ａ，８ｂ  決済システム
９  情報システム基盤
１０  電子翻訳出版支援装置
１１  データ登録部
１２  翻訳管理部
１３  電子出版部
１４  収益分配部
１５  翻訳依頼更新通知部
１６ａ  内部バス
１６ｂ  入出力制御部
１７（１７ａ〜１７ｄ）  データベース
１８  電子商取引モジュール
【図１】
2019091362.tif 000003
【図２】
2019091362.tif 000004
【図３】
2019091362.tif 000005
【図４】
2019091362.tif 000006
【図５】
2019091362.tif 000007
【図６】
2019091362.tif 000008
【図７】
2019091362.tif 000009